(57)【要約】【課題】  防曇機能を備えたレンズモジュールを提供する。【解決手段】  レンズホルダ２とレンズ押え２０とにそれぞれ溝部７、２４を設けてこれらの溝部７、２４を連通させ、レンズホルダ２の開口部４まで至る通気路を形成している。従って、レンズホルダ２とレンズ押え２０との接着の際に使用した接着剤１１により発生するガスをレンズモジュール１の外部に排気させることができる。また、レンズモジュール１の内気と外気とを通気させ、レンズモジュール１の内圧を一定に保つことができる。このためレンズモジュール１内部やレンズ１０の曇りを防止することができる。【選択図】        図１
2005249994.tif 000002
【特許請求の範囲】
【請求項１】
撮影光を取り込む開口部と、該開口部の周囲に配置され、レンズの取付位置を決めるレンズ受け部とを備えたレンズホルダと、
前記レンズホルダの内側面に当接して、前記レンズ受け部に嵌め込まれた前記レンズを前記レンズホルダに固定するレンズ押えとを有し、
前記レンズ受け部と前記レンズ押えとに前記開口部へと続く通気路を形成したことを特徴とするレンズモジュール。
【請求項２】
前記レンズホルダの内側面に当接する前記レンズ押えの端部に、接着剤を塗布する凹部と、前記凹部に塗布した前記接着剤の前記通気路への侵入を防止するリブとを設けたことを特徴とする請求項１記載のレンズモジュール。
【発明の詳細な説明】
【技術分野】
【０００１】
本発明は、撮影用のレンズを保持したレンズモジュールに関する。より詳細には、防曇機能を有するレンズモジュールに関する。
【背景技術】
【０００２】
一般的に広く知られたレンズモジュールとして特許文献１に開示されたレンズモジュールの構成を図４に示す。図４に示すレンズモジュール１００は、レンズ１０１を保持したレンズホルダ１０２と、レンズホルダ１０２を保持する鏡筒１０３とを有して基板１０４上に配置されている。鏡筒１０３は、レンズホルダ１０２の外周面に螺合し、レンズホルダ１０２を摺動可能に保持している。また、レンズモジュール１００と基板１０４との接着は、接着剤を塗布して貼り合わされている。
【０００３】
【特許文献１】特開２００３−３２５２５号公報
【発明の開示】
【発明が解決しようとする課題】
【０００４】
しかしながら、レンズは外気に直接さらされている部分があるため、この外気に直接さらされる部分とレンズの内側とに温度差が生じ、レンズに結露や曇りが生じやすい。また、製造過程で湿気のある空気がレンズモジュール内に含まれてしまうと、レンズを曇らせる場合もある。さらに上述したレンズモジュールのように接着剤などの有機溶剤を使用して接着すると、この有機溶剤から発生するガスが鏡筒内に充満し、レンズが曇るという問題がある。
【０００５】
本発明は上記事情に鑑みてなされたものであり、レンズの曇りを防止したレンズモジュールを提供することを目的とする。
【課題を解決するための手段】
【０００６】
かかる目的を達成するために請求項１記載のレンズモジュールは、撮影光を取り込む開口部と、該開口部の周囲に配置され、レンズの取付位置を決めるレンズ受け部とを備えたレンズホルダと、前記レンズホルダの内側面に当接して、前記レンズ受け部に嵌め込まれた前記レンズを前記レンズホルダに固定するレンズ押えとを有し、前記レンズ受け部と前記レンズ押えとに前記開口部へと続く通気路を形成したことを特徴としている。
【０００７】
請求項１記載の発明は、レンズ受け部とレンズ押えとに開口部へと続く通気路を形成している。この通気路によりレンズモジュール内の内気と外気とを通気させ、レンズモジュールの内圧を一定に保つことができる。例えば、レンズモジュール内の部材の接着に接着剤を使用した場合、接着剤からガスが発生してレンズを曇らせる不具合を生じてしまうが、この通気路を設けたことで接着剤から発生するガスを通気路から排出することができ、レンズの曇りを防止することができる。
【０００８】
請求項２記載のレンズモジュールは、請求項１記載のレンズモジュールにおいて、前記レンズホルダの内側面に当接する前記レンズ押えの端部に、接着剤を塗布する凹部と、前記凹部に塗布した前記接着剤の前記通気路への侵入を防止するリブとを設けたことを特徴としている。
【０００９】
請求項２記載の発明は、レンズ押えの端部には接着剤を塗布した凹部とこの凹部に塗布した接着剤の通気路への侵入を防止するリブとを設けている。リブを設けたことにより、レンズ押えをレンズホルダに接着する時に使用する接着剤が通気路に侵入して、通気路を塞いでしまうことがない。
【発明の効果】
【００１０】
本発明のレンズモジュールは、レンズモジュール内に外部へと通じる通気路を形成したことでレンズの曇りを防止することができる。
【発明を実施するための最良の形態】
【００１１】
次に、添付図面を参照しながら本発明の最良の実施例を説明する。
【実施例１】
【００１２】
本実施例は、図１に示すように被写体像を後述する固体撮像素子３１に結像するレンズ１０と、レンズ１０を保持するレンズホルダ２と、レンズ１０をレンズホルダ２に固定装着させるレンズ押え２０とを有するレンズモジュール１が基板３０上に設けられている。
【００１３】
レンズホルダ２は、中空の略円筒形状であって、被写体からの撮像光を入光する入光面３には開口部４が設けられている。開口部４の略中央にレンズ１０の光軸がくるようにレンズ１０が位置調整して装着される。
【００１４】
また、レンズホルダ２の外周面には、後述するホルダ３２と係合するための雄ねじ部５を設けている。この雄ねじ部５をホルダ３２に設けた雌ねじ部３３と螺合させてレンズホルダ２をホルダ３２に対して摺動させる。レンズホルダ２をレンズの光軸周りに回転させることで、レンズホルダ２およびこのレンズホルダ２に保持されたレンズ１０が光軸方向に移動する。
【００１５】
図２に、レンズホルダ２の内部構成を示す。レンズ１０を保持するレンズホルダ２の内側には、レンズ受け部６を設けている。レンズ受け部６は、図２に示すようにレンズ１０を載置する底面部８と、側面方向からレンズ１０を固定する側面部９とからなる。側面部９は、図２に示すように底面部８に対して略垂直に立設している。またレンズ受け部６には、外部との通気用の通路となる溝部７を形成している。溝部７は、通気路となるように側面部９の端部から底面部８の端部に至る一続きの溝であり、底面部８側の端部は開口部４まで至る。本実施例では溝部７は、図３に示すように開口部４の中心を中心として、略１２０度の間隔で３箇所に形成されている。レンズ受け部６の底面部８でレンズ１０を押え、レンズ受け部６の側面部９でレンズ１０の光軸が開口部４の略中心に来るように位置調整している。
【００１６】
次に、図２を参照しながらレンズ押え２０について説明する。図２に示すようにレンズ押え２０は、レンズ１０によって集光された光を遮らないように中央に開口部２１が形成されたリング形状をしている。レンズ押え２０のレンズ１０に接する面とは反対側の面（以下、裏面と呼ぶ）には、複数のリブ２２を設けている。リブ２２は、レンズ押え２０の裏面上であって、円周方向に等間隔で６箇所に設けられている。リブ２２の形状は、レンズ１０によって集光された光を遮らないように開口部２１側の端部が切欠かかれた形状をしている。
【００１７】
リブ２２とリブ２２とによって区切られた裏面の６つの領域には、凹部２３と溝部２４とのいずれか一方を設けている。本実施例では、凹部２３と溝部２４を６つの領域に交互に３箇所に配置している。凹部２３は、図２に示すようにレンズ押え２０の円周方向の端部を切欠いて段差を付けた部位であり、この部分に、図１に示すようにレンズ押え２０をレンズホルダ２に固定するための接着剤１１を塗布する。凹部２３の両端部には、図２に示すようにリブ２２を設けているので、凹部２３に塗布した接着剤１１が溝部２４側へ流れ込む不具合を生じない。
【００１８】
溝部２４は、図２に示すようにレンズ押え２０の外周面に、レンズ１０と接する接触面側から裏面側まで貫通する溝を形成している。この溝部２４によりレンズモジュール１内に発生するガスをレンズモジュール１の外部に排気したり、レンズモジュール１の内気と外気とを通気させ、レンズモジュール１の内圧を一定に保つことができる。
【００１９】
次に、レンズ１０とレンズ押え２０とのレンズホルダ２への取付方法を説明する。まず、レンズホルダ２の内側に設けたレンズ受け部６にレンズ１０を嵌め込む。レンズ１０は、レンズ受け部６の底面部８と側面部９とによって位置決めされ、レンズホルダ２の開口部４の略中心にレンズ１０の光軸がくるように配置される。
【００２０】
次に、レンズ押え２０がレンズ１０に接するまでレンズ押え２０を押し込み、レンズ押え２０に設けた凹部２３に接着剤１１を塗布して、レンズホルダ２とレンズ押え２０とを固定する。このとき、レンズ押え２０は、図２に示すようにレンズホルダ２の溝部７と、レンズ押え２０の溝部２４とが通し連なるように位置決めして固定される。レンズホルダ２の溝部７とレンズ押え２０の溝部２４とが連通することで、レンズモジュール１内に発生するガスや空気がこの通路を通ってレンズホルダ２の開口部４から抜け出る。またレンズホルダ２とレンズ押え２０の接着は、リング状のレンズ押え２０に設けた３箇所の凹部２３に接着剤を塗布して行われる。
【００２１】
また上記構成のレンズモジュール１は、基板３０上に固定されたホルダ３２に係合することで、基板３０上に固定される。基板３０上にはＣＣＤ等の固体撮像素子３１が配置される。なお、固体撮像素子３１の撮像領域の中心に、レンズ１０の光軸がくるようにレンズモジュール１が配置される。レンズホルダ２の外周面に形成した雄ねじ部５と、ホルダ３２の内周面に形成した雌ねじ部３３とを螺合させて、レンズホルダ２をホルダ３２に摺動可能に取り付ける。レンズホルダ２とホルダ３２との螺合量を調整することにより固体撮像素子３１とレンズ１０との距離を微調整してピント調節をした後に、接着剤等によりレンズホルダ２がホルダ３２に固定される。
【００２２】
このように本実施例のレンズモジュール１は、レンズ受け部６とレンズ押え２０とにレンズホルダ２の開口部４へと続く通気路を形成され、レンズモジュール１の内部と外部とで通気ができるようにしている。この通気路は、図２に示すようにレンズホルダ２とレンズ押え２０とにそれぞれ溝部７、２４を設けてこれらの溝部７、２４を連通させている。レンズモジュール１の内気と外気とを通気させ、レンズモジュール１の内圧を一定に保つことができるので、レンズモジュール１内部やレンズ１０の曇りを防止することができる。
【００２３】
また、レンズホルダ２にレンズ１０とレンズ押え２０を固定する時に、レンズホルダ２に接着剤１１を塗布して、レンズホルダ２を接着している。この接着に使用した接着剤１１より発生するガスを通気路からレンズモジュール１の外部に排気することができる。
【００２４】
なお、上述した実施例は本発明の好適な実施例である。但し、これに限定されるものではなく、本発明の要旨を逸脱しない範囲内において種々変形実施可能である。
【図面の簡単な説明】
【００２５】
【図１】レンズモジュール１を基板上に搭載し、固体撮像装置の構成を示す外観図である。
【図２】レンズホルダ２と、レンズ１０と、レンズ押え２０の外観形状を示す図である。
【図３】レンズホルダ２の内部構造を示す上面図である。
【図４】従来の固体撮像装置の構成を示す外観図である。
【符号の説明】
【００２６】
１  レンズモジュール              ２  レンズホルダ
３  入光面                        ４  開口部
５  雄ねじ部                      ６  レンズ受け部
７  溝部                          ８  底面部
９  側面部                        １０  レンズ
１１  接着剤                      ２０  レンズ押え
２１  開口部                      ２２  リブ
２３  凹部                        ２４  溝部
３０  基板                        ３１  固体撮像素子
３２  ホルダ                      ３３  雌ねじ部
【図１】
2005249994.tif 000003
【図２】
2005249994.tif 000004
【図３】
2005249994.tif 000005
【図４】
2005249994.tif 000006